(57)【要約】      （修正有）【課題】自由水面型横揺れ低減タンクに関するものであって、より詳細には、隆起した底面を形成し、より少ない流体の量で同等水準の横揺れ低減効果をもたらす自由水面型横揺れ低減タンクを提供する。【解決手段】自由水面流体１５０を収容する密閉空間を提供するタンク本体１１０と、前記タンク本体の底に突出した形態で形成され、外側により多量の流体が収容されるようにする隆起底面１３０とを含むことを特徴とする、自由水面型横揺れ低減タンク１００を提供する。【選択図】図２
2015077967.tif 000002
【特許請求の範囲】
【請求項１】
自由水面流体を収容する密閉空間を提供するタンク本体と、
前記タンク本体の底に突出した形態で形成され、外側により多量の流体が収容されるようにする隆起底面とを含むことを特徴とする、自由水面型横揺れ低減タンク。
【請求項２】
前記隆起底面は、
左右対称の形状を有し、水平状態で中心から外側にいくほど前記タンク本体に収容される流体の水深が深くなるように形成されることを特徴とする、請求項１に記載の自由水面型横揺れ低減タンク。
【請求項３】
前記隆起底面は、
中心から外側にいくほど下方傾斜した傾斜面に形成されることを特徴とする、請求項２に記載の自由水面型横揺れ低減タンク。
【請求項４】
前記隆起底面は、
中心から外側にいくほど水深が深くなる曲面に形成されることを特徴とする、請求項２に記載の自由水面型横揺れ低減タンク。
【請求項５】
前記隆起底面は、
中心部に隆起平面を備え、中心部の流体収容量を減少させることを特徴とする、請求項１に記載の自由水面型横揺れ低減タンク。
【請求項６】
前記隆起底面は、
前記隆起平面の両側に傾斜面を備えることを特徴とする、請求項５に記載の自由水面型横揺れ低減タンク。
【請求項７】
前記隆起底面は、
前記隆起平面の両側に曲面を備えることを特徴とする、請求項５に記載の自由水面型横揺れ低減タンク。
【請求項８】
前記隆起底面は、
凸の曲面と凹の曲面とを含むことを特徴とする、請求項２に記載の自由水面型横揺れ低減タンク。
【発明の詳細な説明】
【技術分野】
【０００１】
本発明は、自由水面型横揺れ低減タンクに関するものであって、より詳細には、隆起した底面を形成し、より少ない流体の量で同等水準の横揺れ低減効果をもたらす自由水面型横揺れ低減タンクに関するものである。
【背景技術】
【０００２】
一般に、横揺れ低減タンクは、外部から動力が伝達されず、別途の制御を行わない受動型（ｐａｓｓｉｖｅ  ｔｙｐｅ）と、外部の動力または制御が加えられる能動型（ａｃｔｉｖｅ  ｔｙｐｅ）とに区分することができる。
受動型の場合には、１９１１年、フラーム（Ｆｒａｈｍ）がＵチューブタイプの横揺れ低減タンクを開発し、スティグター（Ｓｔｉｇｔｅｒ）がこれを理論的に究明して解析を行うことにより、多くの船舶に適用されてきた。
本発明に関連する先行文献としては、大韓民国公開特許第１０−２０１１−０１０１８７０号（公開日：２０１１年９月１６日）があり、前記先行文献には、横揺れ低減型船舶および船舶の横揺れ制御方法に関する技術が開示されている。
【先行技術文献】
【特許文献】
【０００３】
【特許文献１】大韓民国公開特許第１０−２０１１−０１０１８７０号明細書
【発明の概要】
【発明が解決しようとする課題】
【０００４】
本発明の目的は、より少ない量の流体を用いて横揺れ低減効果を発揮することができる自由水面型横揺れ低減タンクを提供することである。
【課題を解決するための手段】
【０００５】
本発明は、自由水面流体を収容する密閉空間を提供するタンク本体と、前記タンク本体の底に突出した形態で形成され、外側により多量の流体が収容されるようにする隆起底面とを含むことを特徴とする、自由水面型横揺れ低減タンクを提供する。
前記隆起底面は、左右対称の形状を有し、水平状態で中心から外側にいくほど前記タンク本体に収容される流体の水深が深くなるように形成されることが好ましい。
この時、前記隆起底面は、中心から外側にいくほど下方傾斜した傾斜面に形成されるか、中心から外側にいくほど水深が深くなる曲面に形成されてよい。
また、前記隆起底面は、中心部に隆起平面を備え、中心部の流体収容量を減少させることができる。
この時、前記隆起平面の両側に傾斜面を備えるか、曲面を備えることができる。
一方、前記隆起底面は、凸の曲面と凹の曲面とを含んで形成されてもよい。
【発明の効果】
【０００６】
本発明にかかる自由水面型横揺れ低減タンクは、荷重作用点をタンクの形状によって外側部分に位置位させることにより、同じ重量でより向上した横揺れ低減効果を達成することができ、より少ない重量で同等水準の横揺れ低減効果をもたらす。
【図面の簡単な説明】
【０００７】
【図１】一般的な自由水面型横揺れ低減タンクを示す図である。
【図２】本発明の第１実施形態にかかる自由水面型横揺れ低減タンクを示す図である。
【図３】本発明の第２実施形態にかかる自由水面型横揺れ低減タンクを示す図である。
【図４】本発明の第３実施形態にかかる自由水面型横揺れ低減タンクを示す図である。
【図５】本発明の第４実施形態にかかる自由水面型横揺れ低減タンクを示す図である。
【図６】本発明の第５実施形態にかかる自由水面型横揺れ低減タンクを示す図である。
【図７】本発明の第６実施形態にかかる自由水面型横揺れ低減タンクを示す図である。
【図８】本発明の第７実施形態にかかる自由水面型横揺れ低減タンクを示す図である。
【発明を実施するための形態】
【０００８】
以下、本発明にかかる自由水面型横揺れ低減タンクに関して詳細に説明する。
本発明の利点および特徴、そしてそれらを達成する方法は、添付した図面と共に、詳細に後述する実施形態を参照すれば明確になるであろう。しかし、本発明は、以下に開示される実施形態に限定されるものではなく、互いに異なる多様な形態で実現され、単に本実施形態に限定されるものではなく、互いに異なる多様な形態で実現され、単に本実施形態は本発明の開示が完全になるようにし、本発明の属する技術分野における通常の知識を有する者に発明の範疇を完全に知らせるために提供されるものであり、本発明は請求項の範疇によってのみ定義される。
【０００９】
図１は、一般的な自由水面型横揺れ低減タンクを示す図である。
一般に、自由水面型横揺れ低減タンク１０は、海上構造物の船体２０の内部で左右舷方向に左右対称の形態で形成される。また、自由水面型横揺れ低減タンク１０は、内部に流体１５を収容する密閉空間を形成し、流体１５は自由水面を有するように貯留される。
船体２０との関係において、自由水面型横揺れ低減タンク１０は、船体２０の回転中心３０に対して左右対称の形態で配置される。また、自由水面型横揺れ低減タンク１０は、図示のように、船体２０の回転中心３０に対して上部に位置することができるが、これに限らず、船体２０の形状などに応じてタンクの位置が変更可能である。
【００１０】
図２は、本発明の第１実施形態にかかる自由水面型横揺れ低減タンクを示す図である。本発明の第１実施形態にかかる自由水面型横揺れ低減タンク１００は、自由水面流体１５０を収容する密閉空間を提供するタンク本体１１０と、タンク本体１１０の底に突出した形態で形成され、前記タンク本体１１０の中心部よりは外側部により多量の流体が収容されるようにする隆起底面１３０とを含む。
前記隆起底面１３０は、タンク本体１１０とは別途に製作され、前記タンク本体１１０の底面に付着する形態となっていてもよく、前記タンク本体１１０の底面と一体に製作されてもよい。
前記タンク本体１１０は、流体を収容する密閉空間を提供する。流体は、前記タンク本体１１０の内部に自由水面を有するように貯留され、横揺れによってモーメントを発生させる。
【００１１】
自由水面型横揺れ低減タンク１００は、タンク本体１１０の横揺れモーメントと自由水面運動によって発生する、前記タンク本体１１０の内部に収容された流体１５０のモーメントとの位相差によって、船体の横揺れを低減させる役割を果たす。
本発明は、横揺れ低減タンク１００の形状に変化を与えて、より少ない流体の量でより大きなモーメントを発生可能にするためのものである。より具体的には、流体の荷重作用点を外側に移動させる隆起底面１３０の形状を提供するためのものである。
隆起底面１３０は、左右対称の形状を有する。これは、左右方向の横揺れに対して均一な低減効果を達成するためのものである。
また、隆起底面１３０は、タンク本体１１０が水平を維持した状態で、中心の水深が外側の水深より低くなるように形成されることが好ましい。すなわち、中心の底面が上部に向かって隆起した形態を有することが好ましい。
隆起底面１３０は、様々な形態を有することができるが、図２の場合、中心から外側にいくほど下方傾斜した傾斜面に形成されたことを示すものである。
本発明にかかる自由水面型横揺れ低減タンク１００は、隆起底面１３０の形状によって中心部と外側部に貯留される流体の流量が異なるようにすることにより、流体による荷重の作用点が一般的な横揺れ低減タンクに比べて外側に移動することで、より少ない量の流体を用いて横揺れ低減効果を達成することができる。
【００１２】
図３は、本発明の第２実施形態にかかる自由水面型横揺れ低減タンクを示す図であり、図４は、本発明の第３実施形態にかかる自由水面型横揺れ低減タンクを示す図である。
図３の第２実施形態は、隆起底面１３１が凸の曲面形状に形成された形態を示すものであり、図４の第３実施形態は、隆起底面１３２が凹の曲面に形成された形態を示すものである。
【００１３】
図５は、本発明の第４実施形態にかかる自由水面型横揺れ低減タンクを示す図である。図５の第４実施形態は、隆起底面の中心部に隆起平面１３３を備えた形態を示すものである。隆起平面１３３が中心部に形成されることにより、中心部に貯留可能な流体の流量が減少し、これにより、流体の荷重作用点が外側に移動する効果を得る。
【００１４】
図６は、本発明の第５実施形態にかかる自由水面型横揺れ低減タンクを示す図であり、図７は、本発明の第６実施形態にかかる自由水面型横揺れ低減タンクを示す図である。
図６の第５実施形態は、隆起平面１３３の外側に傾斜面１３４が連結された形態で形成された隆起底面を示すものであり、図７の第６実施形態は、隆起平面１３３の外側に曲面１３５が連結された形態で形成された隆起底面を示すものである。
図８は、本発明の第７実施形態にかかる自由水面型横揺れ低減タンクを示す図である。
第７実施形態は、中央部に凸の曲面１３６とその両側の凹の曲面１３７とによって隆起底面が形成された形態を示すものである。
以上、本発明にかかる自由水面型横揺れ低減タンクは、多様な形態の隆起底面を用いて外側部に相対的に多い流体が貯留されるようにすることにより、モーメントの作用点を外側に移動させる効果をもたらす。
結果的に、一定水準の横揺れ低減効果のために必要な流体の量を減少させることにより、全体の重量を減少させることができる効果をもたらす。
【００１５】
添付した図面を参照して本発明の実施形態を説明したが、本発明は、上記の実施形態に限定されるものではなく、互いに異なる多様な形態に変形可能であり、本発明の属する技術分野における通常の知識を有する者は、本発明の技術的思想や必須の特徴を変更することなく他の具体的な形態で実施可能であることを理解することができる。そのため、以上に述べた実施形態は、すべての面で例示的なものであり、限定的ではないと理解しなければならない。
【符号の説明】
【００１６】
１０：自由水面型横揺れ低減タンク
１５：流体
２０：船体
３０：回転中心
１００：自由水面型横揺れ低減タンク
１１０：タンク本体
１３０、１３１、１３２：隆起底面
１３３：隆起平面
１３４：傾斜面
１３５：曲面
１３６：凸の曲面
１３７：凹の曲面
１５０：流体
【図１】
2015077967.tif 000003
【図２】
2015077967.tif 000004
【図３】
2015077967.tif 000005
【図４】
2015077967.tif 000006
【図５】
2015077967.tif 000007
【図６】
2015077967.tif 000008
【図７】
2015077967.tif 000009
【図８】
2015077967.tif 000010